(57)【特許請求の範囲】
【請求項１】
ブラシ状もしくは櫛状のブリスルの列と超音波振動を行う振動面とがグリップを有している本体の表面に配されたヘアセット器であって、上記本体における平行に並ぶブリスルの列間に上記振動面が配設されているとともに、上記振動面はブリスルの根元部分よりも本体表面から突出した位置にあり、本体表面のブリスルの根元近くには毛髪との間の摩擦抵抗が大な滑り止め部材が配されていることを特徴とする超音波ヘアセット器。
【請求項２】
ブリスルの列が３つ以上設けられているとともに、ブリスルの列間に夫々上記振動面が配されていることを特徴とする請求項１記載の超音波ヘアセット器。
【請求項３】
上記振動面は断面形状が凸曲面もしくは波形曲面となっていることを特徴とする請求項１または２記載の超音波ヘアセット器。
【請求項４】
加熱される熱板が振動面に隣接して配設されていることを特徴とする請求項１〜３のいずれか１項に記載の超音波ヘアセット器。
【請求項５】
種類の異なる複数のブリスルが本体に対して選択的に着脱自在となっていることを特徴とする請求項１〜４のいずれか１項に記載の超音波ヘアセット器。
【請求項６】
本体におけるグリップのブリスルに対する向きが可変となっていることを特徴とする請求項１〜５のいずれか１項に記載の超音波ヘアセット器。
【請求項７】
水、トリートメント剤、セット剤等のヘアセット補助剤を本体表面に吐出させる補助剤吐出部を本体が備えていることを特徴とする請求項１〜６のいずれか１項に記載の超音波ヘアセット器。
【請求項８】
スチームもしくは帯電微粒子を発生させる発生機構を本体が備えていることを特徴とする請求項１〜７のいずれか１項に記載の超音波ヘアセット器。
【発明の詳細な説明】
【技術分野】
【０００１】
本発明は、ヘアセット器、殊に超音波で毛髪をストレートにセットする超音波ヘアセット器に関するものである。
【背景技術】
【０００２】
超音波振動を行う振動面に毛髪を接触させることで毛髪のセットを行うことができるようにしたヘアセット器が提案されているが、このセットに際しては、上記振動面と毛髪との間に所要の接触圧を加えておかないと、セットの効果を得ることができない。
【０００３】
この時、ヘアにカールを付ける場合には、超音波振動を行う振動部に毛髪を巻き付けることによって上記接触圧を確保することができるが、ストレートに毛髪をセットするものにおいては毛髪に振動部を接触させるだけでは上記接触圧を確保することができないために、超音波振動を行う振動面に毛髪を押しつける押さえ板を設けて、この押さえ板と上記振動面との間に毛髪を挟みつけ、この状態でヘアセット器を毛髪に沿って動かすことで、毛髪のほぼ全長に対して超音波振動を付与するものとなっていた。
【０００４】
しかし、毛髪を挟むという手間が必要であるために、どうしてもヘアセットに要する時間が長くなる上に、振動面と押さえ板との間に適切に毛髪を位置させること自体が面倒な操作である。
【特許文献１】特開２００１−１２０３３５公報
【発明の開示】
【発明が解決しようとする課題】
【０００５】
本発明は上記の従来の問題点に鑑みて発明したものであって、超音波による毛髪のストレートセットを簡便に行うことができる超音波ヘアセット器を提供することを課題とするものである。
【課題を解決するための手段】
【０００６】
上記課題を解決するために本発明に係るヘアセット器は、ブラシ状もしくは櫛状のブリスルの列と超音波振動を行う振動面とがグリップを有している本体の表面に配されたものであり、上記本体における平行に並ぶブリスルの列間に上記振動面が配設されているとともに、上記振動面はブリスルの根元部分よりも本体表面から突出した位置にあり、本体表面のブリスルの根元近くには毛髪との間の摩擦抵抗が大な滑り止め部材が配されていることに特徴を有している。毛髪を梳かす時、ブリスルの列との間の摩擦抵抗によってブリスルの列間で直線を保つブリスルに超音波の振動面が接触するために、接触圧を高くすることができるものであり、毛髪先端を手で持って引っ張りながら梳かす動作を行うならば、更に接触圧を高くすることができる。
【０００８】
ブリスルの列が３つ以上設けられているとともに、ブリスルの列間に夫々上記振動面が配されていると、操作性が良くなる上に、カール付けなどにも対応することができるものを得ることができる。
【０００９】
上記振動面は断面形状が凸曲面もしくは波形曲面となっていることが接触圧の向上や、超音波振動によって毛髪に浸透させることができるヘアセット用の剤の液溜めを得ることができる。
【００１０】
加熱される熱板が振動面に隣接して配設されていてもよい。熱板の熱によるヘアセット作用も得られることになる。
【００１２】
種類の異なる複数のブリスルが本体に対して選択的に着脱自在となっていてもよい。髪質やセット強度、セットしたい髪型などに合わせたブリスルの使用が可能となる。
【００１３】
本体におけるグリップのブリスルに対する向きが可変となっていると、使い勝手が向上する。
【００１４】
水、トリートメント剤、セット剤等のヘアセット補助剤を本体表面に吐出させる補助剤吐出部を本体が備えていたり、スチームもしくは帯電微粒子を発生させる発生機構を本体が備えているものでは、これらによるヘアセットやヘアトリートメント効果も期待することができる。
【発明の効果】
【００１５】
本発明は、毛髪を梳かすという操作を行うだけで超音波振動を行う振動面と毛髪との間の接触圧を確保することができるものであり、手で毛髪に張力を加えた状態で毛髪を梳かすならば更に接触圧を高くすることができるために、毛髪を梳かすという操作だけで良いにもかかわらず、超音波によるヘアセット効果を期待することができるものである。
【発明を実施するための最良の形態】
【００１６】
以下、本発明を添付図面に示す実施形態に基いて説明すると、図１は本発明に係るヘアセット器１の基本構成を示すもので、一端側がグリップ１０となっている棒状（筒状）の本体１の他端側の一側面にはブラシ状もしくは櫛状のブリスル１１の列が複数設けられているとともに、平行に並んでいるブリスル１１の列間の中央には超音波振動する振動面２１が配設されている。
【００１７】
上記振動面２１は超音波振動子２の振動を増幅するとともに振動範囲を広げる超音波ホーン２０の表面として形成されたものであり、上記グリップ１０内には超音波振動子２を振動させるための超音波発生制御回路２５と電源部２６とが納められている。
【００１８】
ここにおいて、上記振動面２１は、図２に示すように、ブリスル１１の根元部分よりも本体１表面から突出した位置にあり、上記ブリスル１１で毛髪を梳かす時、２つのブリスル１１の列間においてほぼ直線を保つことになる毛髪は、ブリスル１１と毛髪との間の摩擦抵抗により張力がかかった状態にあるために、振動面２１に対して接触圧を有した状態で接触するものであり、特に、毛髪をストレートにする時は、通常毛髪の先端を手でつまんで毛髪に張力を与えた状態で梳かす動作を行うために、更に接触圧が高くなっており、このために超音波振動を毛髪に与えることによるストレートヘアセットが可能となっている。
【００１９】
ブリスル１１の列を３つ以上設けるとともに、ブリスル１１の各列間に夫々振動面２１を配してもよく、図３(a)に示すように、本体１の表裏に夫々ブリスル１１の列の振動面２１を設けたものでは、表裏を選択的に使うことができて操作性が良くなる。また、図３(b)に示すように、円筒状の本体１の外周面に周方向に等間隔をおいてブリスル１１の列を設けるとともに各ブリスル１１の列間に振動面２１を設けたならば、カール付けにも対応することができるものとなる。
【００２０】
超音波ホーン２０の先端面である上記振動面２１は図４(a)に示す平面よりも、図４(b)に示す凸曲面をなす断面形状を有するものとしたり、図４(c)に示すように波形断面形状を有するものとするのが好ましい。接触圧の向上を得られる上に、波形断面形状で窪みを有するものにおいては、この窪みを超音波振動によって毛髪に浸透させることができるヘアセット用の剤の液溜めとして利用することができる。
【００２１】
図５に他例を示す。これは本体１のブリスル１１の列と振動面２１との間に電気的に加熱される熱板２２を配設したものである。この場合、超音波振動に加えて熱板２２の熱によるヘアセット作用も得ることができる。
【００２２】
また、図６に示すように、本体１の表面のブリスル１１の根元近くに毛髪との間の摩擦抵抗が大な滑り止め部材１３を配しておくことも好ましい。ブリスル１１の列と平行となっている滑り止め部材１３は、毛髪と振動面２１との接触圧を更に高くすることになるものであり、また毛髪を梳かす時の移動速度を抑制することになるために、振動面２１と毛髪との接触時間を長くすることにもなり、これ故に超音波振動によるヘアセットが更に確実に行えるものとなる。
【００２３】
図７は、超音波振動を行う振動面２１が挿通されることになる開口１６を中央に設けた枠体１５ａ，１５ｂに夫々種類の異なる複数のブリスル１１を配設し、これら枠体１５ａ，１５ｂを本体１に対して選択的に取り付けることができるようにしたものを示している。髪質やセット強度、セットしたい髪型などに合わせたブリスル１１を使用することができる。
【００２４】
図８に示すように、本体１にグリップ１０に対して回動させることができる可動部１７を設けて、この可動部１７にブリスル１１及び振動面２１を設けたならば、グリップ１０とブリスル１１及び振動面２１の向きを変えることができるために、多様な使い方が可能となる。
【００２５】
ヘアセットにあたっては、水、トリートメント剤、セット剤等のヘアセット補助剤を用いることが多々あるが、図９に示すようにヘアセット補助剤を入れておくタンク部１８を本体１に設けるとともに、タンク部１８から補助剤を滲出させるための吐出孔１９をブリスル１１の根元付近に設けておくと、補助剤を毛髪に均一に塗布することができるために、ヘアセットあるいはヘアトリートメント機能が向上する。
【００２６】
図１０に示すように、スチームもしくは静電霧化で帯電微粒子水を発生させる発生機構３を本体１に設けたならば、スチームあるいは帯電微粒子水によるヘアセットやヘアトリートメント効果も期待することができる。
【００２７】
図１１は上述の滑り止め部材１３とタンク部１８及び吐出孔１９とスチームもしくは静電霧化で帯電微粒子水を発生させる発生機構３を併設したものを示しており、毛髪を図１２に示すように梳かすように伸ばす時、ヘアセット補助剤や帯電微粒子水が毛髪に付着すると同時に超音波振動による霧化で水分を飛ばすことができるために、更にヘアセット効果を高くすることができる。
【００２８】
ところで、超音波振動を行う振動面２１の振動数及びまたは振動強度は、ヘアセット補助剤を毛髪に浸透させるのに好適なものと超音波霧化によって水分を飛ばしてヘアセットを行うのに好適なものとが相違することから、図１３に示すように、超音波発生制御回路２５で超音波振動子２に発生させる振動を上記浸透用と霧化用とにセットする回路２６，２７とこれらを切り換えるスイッチ２８を本体１に設けて、用途に応じて振動数及びまたは振動強度を切り換えることができるようにしておくとよい。
【図面の簡単な説明】
【００２９】
【図１】本発明の実施の形態の一例を示すもので、(a)は概略斜視図、(b)は概略構成図である。
【図２】同上の部分断面図である。
【図３】(a)(b)は夫々他例の概略斜視図である。
【図４】(a)(b)(c)は夫々振動面の断面形状例を示す断面図である。
【図５】他の例の破断斜視図である。
【図６】別の例の概略斜視図である。
【図７】更に別の例の概略斜視図である。
【図８】(a)(b)は異なる例の概略斜視図である。
【図９】他の例の概略斜視図である。
【図１０】更に他の例の概略斜視図である。
【図１１】別の例の概略斜視図である。
【図１２】同上の操作状態を示す説明図である。
【図１３】別の例の概略構成図である。
【符号の説明】
【００３０】
１  本体
１１  ブリスル
２１  振動面
【図１】
0004561563.tif 000002
【図２】
0004561563.tif 000003
【図３】
0004561563.tif 000004
【図４】
0004561563.tif 000005
【図５】
0004561563.tif 000006
【図６】
0004561563.tif 000007
【図７】
0004561563.tif 000008
【図８】
0004561563.tif 000009
【図９】
0004561563.tif 000010
【図１０】
0004561563.tif 000011
【図１１】
0004561563.tif 000012
【図１２】
0004561563.tif 000013
【図１３】
0004561563.tif 000014